(57)【特許請求の範囲】
【請求項１】
第１のハウジング，該第１のハウジングに配列配置された複数の第１のコンタクト、及び、上記第１のハウジングを保持して回路基板に固定する保持金具部材を備えた第１のコネクタと、
上記第１のハウジングとの係合状態をとる第２のハウジング，該第２のハウジングに配列配置され、該第２のハウジングが上記第１のハウジングとの係合状態をとるとき上記複数の第１のコンタクトに夫々接触接続される状態をとる複数の第２のコンタクト，上記第２のハウジングを部分的に覆うシェル部材、及び、全体が屈曲棒状体を成すものとして上記第２のハウジングに対して回動可能に配され、該第２のハウジングに対して起き上がった第１の静止位置と伏した第２の静止位置とを選択的にとる可動操作部材を備えた第２のコネクタと、
を含んで構成され、
上記可動操作部材の両端部の夫々が上記第２のハウジングにより支持される可動被係止部を形成するとともに、上記保持金具部材を成す係合部材が係合係止部を形成していて、上記可動被係止部が上記可動操作部材の回動に伴って対面方向を変化させる平面状部を有しており、上記第２のハウジングが上記第１のハウジングとの係合状態をとるとき上記可動被係止部が上記係合係止部に係合し、上記可動被係止部が上記係合係止部に係合したもとで上記可動操作部材が上記第１の静止位置から上記第２の静止位置に回動移行せしめられるとき、該可動操作部材の回動に伴って上記可動被係止部が有する平面状部が対面方向を変化させることにより、上記係合係止部を形成する係合部材の一端部の先端部分が成す当接係止部が上記平面状部に当接して該平面状部を機械的に係止する状態がとられ、それにより、上記第２のハウジングが上記第１のハウジングに対して係止された状態におかれることを特徴とする相互係合コネクタ装置。
【請求項２】
上記可動被係止部が、上記第２のハウジングの端部と上記シェル部材の端部とによって回動可能に位置決めされていることを特徴とする請求項１記載の相互係合コネクタ装置。
【請求項３】
上記係合係止部を形成する係合部材が、上記回路基板に配されて相互対向する一対のものとして設けられており、該一対の係合部材のうちの一方の一端部の先端部分が上記当接係止部を形成していることを特徴とする請求項１記載の相互係合コネクタ装置。
【請求項４】
上記係合係止部を形成する一対の係合部材のうちの他方に、上記可動被係止部を上記一対の係合部材のうちの一方に向けて押圧する弾性押圧部が設けられていることを特徴とする請求項３記載の相互係合コネクタ装置。
【請求項５】
上記弾性押圧部が、上記可動被係止部が有する平面状部に当接して上記当接係止部と共に上記可動被係止部が有する平面状部を機械的に係止する突起を有していることを特徴とする請求項４記載の相互係合コネクタ装置。
【請求項６】
上記シェル部材における上記第２のハウジングにより支持された可動被係止部に対応する部分に開口部が設けられており、該開口部を通じて上記可動被係止部を上記シェル部材の外部から視認することができることを特徴とする請求項１記載の相互係合コネクタ装置。
【請求項７】
上記可動操作部材の両端部が夫々成す一対の可動被係止部が、上記第２のハウジングにおける上記複数の第２のコンタクトの配列を挟んで対向する一対の端部によって支持されていることを特徴とする請求項１記載の相互係合コネクタ装置。
【発明の詳細な説明】
【技術分野】
【０００１】
本願の特許請求の範囲に記載された発明は、回路基板に装着される第１のコネクタとケーブルや配線基板（フレキシブル印刷配線基板（FPC)を含む。）が連結される第２のコネクタとを含み、第１のコネクタと第２のコネクタとが相互係合せしめられることにより、第２のコネクタに連結されたケーブルや配線基板を第１のコネクタが装着された回路基板に電気的に接続する相互係合コネクタ装置に関する。
【背景技術】
【０００２】
複数の比較的細いケーブルや比較的小型なフレキシブル印刷配線基板を、各種の電気部品が取り付けられる回路基板に接続するにあたっては、回路基板にそれとの電気的接続がなされて固定された、例えば、リセプタクルコネクタとされる第１のコネクタと、複数のケーブルあるいはフレキシブル印刷配線基板が連結されて、第１のコネクタに係合接続される、例えば、プラグコネクタとされる第２のコネクタと、が用いられることが多い。第１のコネクタにあっては、例えば、嵌合凹部が設けられ、その嵌合凹部内に、各々の一端部が端子部とされて回路基板に接続されるもとで配列配置された複数の第１の導電コンタクトの接触接続部が配される。また、第２のコネクタにあっては、例えば、嵌合凸部が設けられ、その嵌合凸部に、複数のケーブルあるいはフレキシブル印刷配線基板との電気的接続がなされて配列配置された複数の第２の導電コンタクトの接触接続部が配される。そして、第２のコネクタにおける嵌合凸部は、第１のコネクタにおける嵌合凹部に挿入されるものとされ、嵌合凸部が嵌合凹部に挿入された際には、嵌合凸部に配された複数の第２の導電コンタクトの接触接続部が、嵌合凹部内に配された複数の第１の導電コンタクトの接触接続部に夫々押圧接触する状態におかれる。
【０００３】
第１のコネクタにおける嵌合凹部は、絶縁材料によって構成されて複数の第１の導電コンタクトを支持するハウジングの一部として形成され、また、第２のコネクタにおける嵌合凸部は、絶縁材料によって構成されて複数の第２の導電コンタクトを支持するハウジングの一部として形成される。そして、複数のケーブルあるいはフレキシブル印刷配線基板が連結された第２のコネクタにおける嵌合凸部が、回路基板に固定された第１のコネクタにおける嵌合凹部に挿入される際には、第２のコネクタのハウジングが第１のコネクタのハウジングとの係合状態をとって第１のコネクタと第２のコネクタとが相互係合せしめられ、複数の第１の導電コンタクトと複数の第２の導電コンタクトとが相互接触接続状態におかれる。その結果、第２のコネクタに連結された複数のケーブルあるいはフレキシブル印刷配線基板が、第１のコネクタが固定された回路基板に電気的に接続される。
【０００４】
このようにして、第２のコネクタに連結された複数のケーブルあるいはフレキシブル印刷配線基板を第１のコネクタが固定された回路基板に電気的に接続すべく、複数のケーブルあるいはフレキシブル印刷配線基板が連結された第２のコネクタのハウジングが回路基板に固定された第１のコネクタのハウジングに係合せしめられて、第１のコネクタと第２のコネクタとが相互係合状態におかれるにあたっては、第２のコネクタのハウジングが第１のコネクタのハウジングとの係合状態を安定に維持するものとされることが必要とされる。そのため、従来にあっては、第１及び第２のコネクタを含んで構成され、第１のコネクタと第２のコネクタとが相互係合せしめられたとき、第２のコネクタのハウジングを第１のコネクタのハウジングに対して機械的に係止する係止手段を備えた相互係合コネクタ装置が提案されている（例えば、特許文献１または特許文献２参照。）。
【０００５】
特許文献１に示される相互係合コネクタ装置は、ハウジング（インシュレータ(21)）を備えて基板に配された第１のコネクタ（基板側コネクタ(102))、及び、ハウジング（インシュレータ(11)) とそのハウジングに回動可能に取り付けられた可動操作部材（プルバー(10)）とを備えた第２のコネクタ（プラグ側コネクタ(100))を含んで構成されている。第１のコネクタのハウジングにおける内壁状部の外面には、突起部(1) が外方に突出するものとして設けられており、また、第２のコネクタのハウジングにおける外壁状部の外面には、リブ(7) が外方に突出するものとして設けられている。さらに、第２のコネクタに備えられた可動操作部材は、金属棒状部材をもって形成されていて、両端の夫々に腕部(10b) と腕部(10b) の先端を成す回転軸(10a) とを有しており、回転軸(10a) は第２のコネクタのハウジングにおける外壁状部を外側から内側へと貫通していて、第１のコネクタに対する係止部（ロック機構の一部）を成している。
【０００６】
そして、第１のコネクタと第２のコネクタとが相互係合状態におかれるときには、第２のコネクタのハウジングが、その外壁状部が第１のコネクタのハウジングの内壁状部の外側に配されるようにして、第１のコネクタのハウジングに嵌合する。その際、第２のコネクタに備えられた可動操作部材における回転軸(10a) が、第１のコネクタのハウジングにおける内壁状部の外面に設けられた突起部(1) に対する係合係止状態をとり、第２のコネクタのハウジングを第１のコネクタのハウジングに対して機械的に係止し、それによって、第１及び第２のコネクタの相互係合状態が維持される。
【０００７】
その後、第２のコネクタに備えられた可動操作部材が回動せしめられると、可動操作部材の腕部(10b) が第２のコネクタのハウジングにおける外壁状部の外面に設けられたリブ(7) に乗り上げ、それにより、可動操作部材が弾性変形を生じて、可動操作部材の回転軸(10a) が、第１のコネクタのハウジングにおける内壁状部の外方に移動せしめられ、第１のコネクタのハウジングにおける内壁状部の外面に設けられた突起部(1) に対する係合係止状態を解除する。その結果、第２のコネクタのハウジングが第１のコネクタのハウジングに対する機械的な係止から解放される。可動操作部材の回転軸(10a) が第１のコネクタのハウジングに設けられた突起部(1) に対する係合係止状態を解除した後には、可動操作部材の更なる回動に伴って、弾性変形を生じた可動操作部材が弾性変形を生じていない状態に戻る。
【０００８】
また、特許文献２に示される相互係合コネクタ装置は、ハウジング（インシュレータ(220))とそのハウジングの殆どを覆う金属部材（シェル(250))とを備えた第１のコネクタ（レセプタクルコネクタ(200))、及び、ハウジング（インシュレータ(340))とそのハウジングに回動可能に取り付けられた可動操作部材（プルバー(370))とを備えた第２のコネクタ（プラグコネクタ(300))を含んで構成されている。第１のコネクタが備える金属部材には、被係止孔(254) が形成されたロック部(252) が設けられている。また、第２のコネクタに備えられた可動操作部材は、金属棒状部材をもって形成されており、主部(372) と主部の両端部の夫々から屈曲して主部に交差する方向に伸びる連結部(376) と連結部(376) から更に屈曲して主部と平行となる方向に伸びる被保持部(374) とを有している。そして、被保持部(374) は、第２のコネクタのハウジングにおける内面側にカム部(348) が設けられた外壁状部を内側から外側へと貫通しており、その端部が、第２のコネクタのハウジングにおける外壁状部の外方に突出し得るものとされて、第１のコネクタに対する係止部(375) を成すものとされている。
【０００９】
そして、第１のコネクタと第２のコネクタとが相互係合状態におかれるときには、第２のコネクタのハウジングが、その外壁状部が第１のコネクタにおける被係止孔(254) が形成されたロック部(252) のハウジングの内側に配されるようにして、第１のコネクタのハウジングに嵌合する。その際、第２のコネクタに備えられた可動操作部材における被保持部(374) の端部である係止部が、第１のコネクタにおけるロック部(252) に形成された被係止孔(254) に対する係合係止状態をとり、第２のコネクタのハウジングを第１のコネクタのハウジングに対して機械的に係止し、それによって、第１及び第２のコネクタの相互係合状態が維持される。
【００１０】
その後、第２のコネクタに備えられた可動操作部材が回動せしめられると、可動操作部材における連結部(376) が第２のコネクタのハウジングにおける外壁状部の内面側に設けられたカム部(348) に案内されて移動し、それにより、可動操作部材が弾性変形を生じて、連結部(376) から屈曲して伸びる被保持部(374) の端部である係止部が、第２のコネクタのハウジングにおける外壁状部の内部側へと移動せしめられ、第１のコネクタにおけるロック部(252) に形成された被係止孔(254) に対する係合係止状態を解除する。その結果、第２のコネクタのハウジングが第１のコネクタのハウジングに対する機械的な係止から解放される。可動操作部材における係止部(375) が第１のコネクタにおけるロック部(252) に形成された被係止孔(254) に対する係合係止状態を解除した後には、可動操作部材の更なる回動に伴って、弾性変形を生じた可動操作部材が弾性変形を生じていない状態に戻る。
【先行技術文献】
【特許文献】
【００１１】
【特許文献１】特開２００５−２６７９７７号公報（段落００５８〜００６９，図１〜５）
【特許文献２】特開２００９−１７０２５０号公報（段落００１８〜００２８，００３１，図１〜１０）
【発明の概要】
【発明が解決しようとする課題】
【００１２】
上述のような、従来提案されている、第１及び第２のコネクタを含んで構成され、それらの第１及び第２のコネクタが相互係合したとき、一方を他方に対して機械的に係止する係止手段を備えた相互係合コネクタ装置にあっては、それらの夫々に次のような不都合が見られる。
【００１３】
先ず、特許文献１に示される相互係合コネクタ装置にあっては、第１のコネクタと第２のコネクタとが相互係合した状態のもとで、第２のコネクタが備える金属棒状部材で成る可動操作部材における係止部を成す回転軸が、可動操作部材が弾性変形を生じていない状態のもとで、第１のコネクタのハウジングに設けられた突起部に対する係合係止状態をとって、第２のコネクタのハウジングを第１のコネクタのハウジングに対して機械的に係止し、また、可動操作部材が弾性変形を生じた状態のもとで、第１のコネクタのハウジングに設けられた突起部に対する係合係止状態を解除し、第２のコネクタのハウジングを第１のコネクタのハウジングに対する機械的な係止から解放する。従って、第２のコネクタのハウジングが第１のコネクタのハウジングに対して機械的に係止される状態と、第２のコネクタのハウジングが第１のコネクタのハウジングに対する機械的な係止から解放される状態とが繰り返される場合には、第２のコネクタのハウジングが第１のコネクタのハウジングに対して機械的に係止されるとき、一旦弾性変形を生じた後、弾性変形を生じていない状態に戻った可動操作部材における係止部を成す回転軸が、第１のコネクタのハウジングに設けられた突起部に対する係合係止状態をとることになる。
【００１４】
それゆえ、一旦弾性変形を生じた後、弾性変形を生じていない状態に戻った可動操作部材における係止部を成す回転軸が、第１のコネクタのハウジングに設けられた突起部に対する係合係止状態をとるとき、一旦弾性変形を生じた可動操作部材が弾性変形を生じていない状態に戻るにあたり、可動操作部材が、弾性変形に伴う塑性変形を生じて、元の状態には戻らない事態がまねかれる虞がある。斯かる事態がまねかれた際には、可動操作部材の塑性変形によりその回転軸の位置が変位してしまい、回転軸による第１のコネクタのハウジングに設けられた突起部に対する係合係止が適正に行われなくなって、第２のコネクタのハウジングについての第１のコネクタのハウジングに対する機械的な係止が不確実なものとなってしまう。
【００１５】
さらに、特許文献１に示される相互係合コネクタ装置にあっては、可動操作部材における係止部を成す回転軸が、第２のコネクタのハウジングにおける外壁状部を外側から内側へと貫通して第２のコネクタのハウジングによって支持されたもとで、第１のコネクタのハウジングに設けられた突起部に対する係合係止状態をとるものとされている。即ち、可動操作部材における係止部を成す回転軸は、大なる剛性を有した金属部材に係合することなく、剛性において劣る絶縁材料により形成された第２のコネクタのハウジング及び第１のコネクタのハウジングに係合することによって、第２のコネクタのハウジングを第１のコネクタのハウジングに対して機械的に係止するものとされている。それゆえ、取り分け、第１及び第２のコネクタの小型・軽量化が図られて、第１のコネクタのハウジング及び第２のコネクタのハウジングの夫々の肉厚等が低減せしめられるもとにあっては、可動操作部材における回転軸の第２のコネクタのハウジングによる支持が堅固になされず、可動操作部材における回転軸による第１のコネクタのハウジングに設けられた突起部に対する係合係止を十分な信頼性をもって確実に行うことができなくなってしまう虞がある。
【００１６】
また、特許文献２に示される相互係合コネクタ装置にあっては、第１のコネクタと第２のコネクタとが相互係合した状態のもとで、第２のコネクタが備える金属棒状部材で成る可動操作部材における被保持部の端部である係止部が、可動操作部材が弾性変形を生じていない状態のもとで、第１のコネクタにおけるロック部に形成された被係止孔に対する係合係止状態をとって、第２のコネクタのハウジングを第１のコネクタのハウジングに対して機械的に係止し、また、可動操作部材が弾性変形を生じた状態のもとで、第１のコネクタにおけるロック部に形成された被係止孔に対する係合係止状態を解除し、第２のコネクタのハウジングを第１のコネクタのハウジングに対する機械的な係止から解放する。従って、第２のコネクタのハウジングが第１のコネクタのハウジングに対して機械的に係止される状態と、第２のコネクタのハウジングが第１のコネクタのハウジングに対する機械的な係止から解放される状態とが繰り返される場合には、第２のコネクタのハウジングが第１のコネクタのハウジングに対して機械的に係止されるとき、一旦弾性変形を生じた後、弾性変形を生じていない状態に戻った可動操作部材における被保持部の端部である係止部が、第１のコネクタにおけるロック部に形成された被係止孔に対する係合係止状態をとることになる。
【００１７】
それゆえ、一旦弾性変形を生じた後、弾性変形を生じていない状態に戻った可動操作部材における被保持部の端部である係止部が、第１のコネクタにおけるロック部に形成された被係止孔に対する係合係止状態をとるとき、一旦弾性変形を生じた可動操作部材が弾性変形を生じていない状態に戻るにあたり、可動操作部材が、弾性変形に伴う塑性変形を生じて、元の状態には戻らない事態がまねかれる虞がある。斯かる事態がまねかれた際には、可動操作部材の塑性変形によりその係止部の位置が変位してしまい、係止部による第１のコネクタにおけるロック部に形成された被係止孔に対する係合係止が適正に行われなくなって、第２のコネクタのハウジングについての第１のコネクタのハウジングに対する機械的な係止が不確実なものとなってしまう。
【００１８】
さらに、特許文献２に示される相互係合コネクタ装置にあっては、可動操作部材における被保持部が、第２のコネクタのハウジングにおける内面側にカム部が設けられた外壁状部を内側から外側へと貫通して第２のコネクタのハウジングにより支持されたもとで、その端部を成す係止部に第１のコネクタにおけるロック部に形成された被係止孔に対する係合係止状態をとらせるものとされている。即ち、可動操作部材における係止部を成す端部を有した被保持部は、大なる剛性を有した金属部材に係合することなく、剛性において劣る絶縁材料により形成された第２のコネクタのハウジングに係合するもとで、第２のコネクタのハウジングを第１のコネクタのハウジングに対して機械的に係止するものとされている。それゆえ、取り分け、第１及び第２のコネクタの小型・軽量化が図られて、第１のコネクタのハウジング及び第２のコネクタのハウジングの夫々の肉厚等が低減せしめられるもとにあっては、可動操作部材における被保持部の第２のコネクタのハウジングによる支持が堅固になされず、可動操作部材における被保持部の端部である係止部による第１のコネクタにおけるロック部に形成された被係止孔に対する係合係止を十分な信頼性をもって確実に行うことができなくなってしまう虞がある。
【００１９】
斯かる点に鑑み、本願の特許請求の範囲に記載された発明は、回路基板に装着される第１のコネクタとケーブルや配線基板が連結される第２のコネクタとを含み、第１及び第２のコネクタが相互係合せしめられることにより、第２のコネクタに連結されたケーブルや配線基板を第１のコネクタが装着された回路基板に電気的に接続された状態におくことができる機構を成すものであって、第２のコネクタのハウジングが第１のコネクタのハウジングとの係合状態をとって第１のコネクタと第２のコネクタとが相互係合せしめられた状態のもとで、第２のコネクタに回動変位可能に配された係止手段によって、第２のコネクタのハウジングについての第１のコネクタのハウジングに対する係止を十分な信頼性をもって安定かつ堅固に行うことができる相互係合コネクタ装置を提供する。
【課題を解決するための手段】
【００２０】
本願の特許請求の範囲における請求項１から請求項７までのいずれかに記載された発明（以下、本願発明という。）に係る相互係合コネクタ装置は、第１のハウジング，第１のハウジングに配列配置された複数の第１のコンタクト、及び、第１のハウジングを保持して回路基板に固定する保持金具部材を備えた第１のコネクタと、第１のハウジングとの係合状態をとる第２のハウジング，第２のハウジングに配列配置され、第２のハウジングが第１のハウジングとの係合状態をとるとき複数の第１のコンタクトに夫々接触接続される状態をとる複数の第２のコンタクト，第２のハウジングを部分的に覆うシェル部材、及び、全体が屈曲棒状体を成すものとして第２のハウジングに対して回動可能に配され、第２のハウジングに対して起き上がった第１の静止位置と伏した第２の静止位置とを選択的にとる可動操作部材を備えた第２のコネクタとを含んで構成される。そして、可動操作部材の両端部の夫々が第２のハウジングにより支持される可動被係止部を形成するとともに、保持金具部材を成す係合部材が係合係止部を形成していて、可動被係止部が可動操作部材の回動に伴って対面方向を変化させる平面状部を有しており、第２のハウジングが第１のハウジングとの係合状態をとるとき可動被係止部が係合係止部に係合し、可動被係止部が係合係止部に係合したもとで可動操作部材が第１の静止位置から第２の静止位置に回動移行せしめられるとき、可動操作部材の回動に伴って可動被係止部が有する平面状部が対面方向を変化させることにより、係合係止部を形成する係合部材の一端部の先端部分が成す当接係止部が可動被係止部が有する平面状部に当接して当該平面状部を機械的に係止する状態がとられ、それにより、第２のハウジングが第１のハウジングに対して係止された状態におかれることを特徴とするものとされる。
【００２１】
上述のような本願発明に係る相互係合コネクタ装置にあっては、第２のコネクタの第２のハウジングが第１のコネクタの第１のハウジングとの係合状態をとるとき、第２のコネクタにおける複数の第２のコンタクトが第１のコネクタにおける複数の第１のコンタクトに夫々接触接続される。また、第２のコネクタにおいて全体が屈曲棒状体を成すものとして第２のハウジングに配された可動操作部材の両端部分の夫々が、可動操作部材の回動に伴って対面方向を変化させる平面状部を有して第２のハウジングにより支持された可動被係止部を形成しているととともに、第１のコネクタにおいて第１のハウジングを保持して回路基板に固定する保持金具部材に係合係止部が形成されていて、第２のハウジングが第１のハウジングとの係合状態をとるとき可動被係止部が係合係止部に係合する。
【００２２】
そして、第２のハウジングが第１のハウジングとの係合状態をとり、可動被係止部が係合係止部に係合したもとにおいて、可動操作部材が第１の静止位置から第２の静止位置に回動移行せしめられると、可動操作部材の回動に伴って可動被係止部が有する平面状部が対面方向を変化させることにより、係合係止部を形成する係合部材の一端部の先端部分が成す当接係止部が可動被係止部が有する平面状部に当接して当該平面状部を機械的に係止する状態がとられる。その結果、第２のハウジングが第１のハウジングに対して機械的に係止された状態におかれ、複数の第２のコンタクトが複数の第１のコンタクトに夫々接触接続された状態が安定に維持される。
【００２３】
その後、第２のハウジングが第１のハウジングに対して係止されたもとで、可動操作部材が第２の静止位置から第１の静止位置に回動移行せしめられると、それに伴って、例えば、係合係止部に設けられた当接係止部が可動被係止部が有する平面状部に当接しない状態がとられ、可動被係止部が有する平面状部に対する係合係止部による機械的な係止が解除される。その結果、第２のハウジングが第１のハウジングに対する機械的な係止から解放された状態におかれ、第２のハウジングを第１のハウジングから意図的に離隔させることが可能とされる。
【００２４】
このようなもとで、第１のコネクタにおける保持金具部材は、例えば、保持金具部材によって第１のハウジングが固定される回路基板に配されて相互対向する一対の係合部材から成り、これら一対の係合部材によって係合係止部が形成される。そして、例えば、係合係止部を形成する一対の係合部材のうちの一方に、可動被係止部が有する平面状部に当接してそれを機械的に係止する当接係止部が設けられ、また、一対の係合部材のうちの他方に、可動被係止部を一対の係合部材のうちの一方に向けて押圧する弾性押圧部が設けられる。
【発明の効果】
【００２５】
本願発明に係る相互係合コネクタ装置にあっては、第２のコネクタの第２のハウジングが第１のコネクタの第１のハウジングとの係合状態をとるとき、可動操作部材の両端部の夫々が成す可動被係止部が、第１のコネクタにおける保持金具部材に設けられた係合係止部に係合するとともに、可動操作部材の第１の静止位置から第２の静止位置への回動移行に伴って、可動被係止部が有する平面状部が対面方向を変化させることにより、係合係止部を形成する係合部材の一端部の先端部分が成す当接係止部が可動被係止部が有する平面状部に当接して当該平面状部を機械的に係止する状態がとられ、それにより、第２のハウジングが第１のハウジングに対して機械的に係止された状態におかれる。また、第２のハウジングが第１のハウジングに対して係止されたもとで、可動操作部材が第２の静止位置から第１の静止位置に回動移行せしめられると、それに伴って、係合係止部を形成する係合部材の一端部の先端部分が成す当接係止部が可動被係止部が有する平面状部に当接しない状態がとられて、可動被係止部が有する平面状部に対する当接係止部による機械的な係止が解除され、第２のハウジングが第１のハウジングに対する機械的な係止から解放された状態におかれる。従って、本願発明に係る相互係合コネクタ装置によれば、たとえ、第２のハウジングが第１のハウジングに対して係止される状態と、第２のハウジングが第１のハウジングに対する係止から解放される状態とが繰り返される場合においても、第２のハウジングが第１のハウジングとの係合状態をとるときには、可動被係止部が有する平面状部に対する係合係止部による機械的な係止状態を適正かつ確実にとることができ、その結果、第２のハウジングについての第１のハウジングに対する係止を十分な信頼性をもって安定かつ堅固に行うことができる。
【００２６】
また、本願発明に係る相互係合コネクタ装置において、可動被係止部が有する平面状部に対する係合係止部による機械的な係止を解除するにあたっての操作は、第２のコネクタの第２のハウジングに回動可能に配されて第１の静止位置と第２の静止位置とを選択的にとることができる可動操作部材を、第２の静止位置から第１の静止位置へと回動変位させることで足りるので、第２のハウジングについての第１のハウジングに対する係止の解除を、特別な工具等の使用を必要としない極めて簡単で容易な操作により確実に行うことができることになる。
【図面の簡単な説明】
【００２７】
【図１】本願発明に係る相互係合コネクタ装置の一例を構成するリセプタクルコネクタとプラグコネクタとを、リセプタクルコネクタが回路基板に装着されるとともに、プラグコネクタが複数の構成部材に分解されたもとでそれに複数のケーブルが連結された状態をもって示す斜視図である。
【図２】図１に示されるリセプタクルコネクタが備える保持金具部材を単独で示す斜視図である。
【図３】図１に示されるプラグコネクタが備える可動操作部材を単独で示す斜視図である。
【図４】図３における一点鎖線円Ａ内を拡大して示す部分斜視図である。
【図５】図１に示される回路基板に装着されたリセプタクルコネクタに対して、図１に示される複数のケーブルが連結されたプラグコネクタが対向配置された状態を示す斜視図である。
【図６】図１に示される回路基板に装着されたリセプタクルコネクタに対して、図１に示される複数のケーブルが連結されたプラグコネクタが対向配置された状態を示す正面図である。
【図７】図６における VII−VII 線断面を示す断面図である。
【図８】図５に示される回路基板に装着されたリセプタクルコネクタと図５に示される複数のケーブルが連結されたプラグコネクタとが相互係合し、可動操作部材が第１の静止位置におかれた状態を示す斜視図である。
【図９】図５に示される回路基板に装着されたリセプタクルコネクタと図５に示される複数のケーブルが連結されたプラグコネクタとが相互係合し、可動操作部材が第１の静止位置におかれた状態を示す正面図である。
【図１０】図９における X−X 線断面を示す断面図である。
【図１１】図９におけるXI−XI線断面を示す断面図である。
【図１２】図５に示される回路基板に装着されたリセプタクルコネクタと図５に示される複数のケーブルが連結されたプラグコネクタとが相互係合し、可動操作部材が第２の静止位置におかれた状態を示す斜視図である。
【図１３】図５に示される回路基板に装着されたリセプタクルコネクタと図５に示される複数のケーブルが連結されたプラグコネクタとが相互係合し、可動操作部材が第２の静止位置におかれた状態を示す正面図である。
【図１４】図１３における XIV−XIV 線断面を示す断面図である。
【図１５】図１３におけるXV−XV線断面を示す断面図である。
【図１６】図５に示される回路基板に装着されたリセプタクルコネクタと図５に示される複数のケーブルが連結されたプラグコネクタとが相互係合し、プラグコネクタのハウジングがリセプタクルコネクタのハウジングに対する嵌合完了直前の位置におかれ、可動操作部材が第１の静止位置におかれた状態を示す断面図である。
【発明を実施するための形態】
【００２８】
本願発明を実施するための形態は、以下に述べられる本願発明についての実施例をもって説明される。
【実施例】
【００２９】
図１は、本願発明に係る相互係合コネクタ装置の一例を構成する第１のコネクタを成すリセプタクルコネクタ１１と第２のコネクタを成すプラグコネクタ１２とを、リセプタクルコネクタ１１が回路基板１３に装着されるとともに、プラグコネクタ１２が複数の構成部材に分解されたもとでそれに複数のケーブル１４が連結された状態をもって示す。リセプタクルコネクタ１１とプラグコネクタ１２とは、相互係合状態をとるものとされている。
【００３０】
図１に示される第１のコネクタを成すリセプタクルコネクタ１１は、合成樹脂等の絶縁材料によって形成されたハウジング１５（第１のハウジング）を備えており、ハウジング１５は回路基板１３における図１において上方に向いた面（以下、上面という。）に配されている。
【００３１】
ハウジング１５には、プラグコネクタ１２のハウジング３０（第２のハウジング）に設けられた嵌合凸部３４（図１５に示される。）が挿入される嵌合凹部１６が、ハウジング１５の長手方向に沿って伸びる溝部を成すものとして設けられており、プラグコネクタ１２のハウジング３０に設けられた嵌合凸部３４がリセプタクルコネクタ１１のハウジング１５に設けられた嵌合凹部１６に挿入されるとき、ハウジング３０がハウジンング１５との係合状態におかれる。また、ハウジング１５には、各々が弾性を有した導電性板材により形成された屈曲帯状部材を成す複数のリセプタクル側コンタクト１７（第１のコンタクト）が、ハウジング１５の長手方向に沿って配列配置されている。複数のリセプタクル側コンタクト１７の夫々には、回路基板１３の上面に設けられた配線端子部（図示が省略されている。）に接続される基板接続部１７ａと、プラグコネクタ１２に備えられるプラグ側コンタクト３３（第２のコンタクト）におけるプラグコネクタ１２のハウジング３０に設けられた嵌合凸部３４に配された当接部３３ｂ（図１５に示される。）が当接する接触接続部１７ｂとが、夫々帯状部材の両端部分を成すものとして設けられている。接触接続部１７ｂは、嵌合凹部１６内に臨むものとされている。
【００３２】
さらに、ハウジング１５には、複数のリセプタクル側コンタクト１７の配列を挟んで対向する一対の端部１８の夫々に、ハウジング１５を保持して回路基板１３に固定する保持金具部材１９が取り付けられている。保持金具部材１９を単独で示す図２に示されるように、保持金具部材１９は、各々が、例えば、弾性金属板材に打抜き・屈曲加工が施されて形成され、回路基板１３の上面に配されて相互対向する一対の係合部材２０及び２１から成り、これら一対の係合部材２０及び２１は、相互対向したもとで、それらのうちの一方である係合部材２０の一端部２０ａとそれらのうちの他方である係合部材２１の一端部２１ａとによって係合係止部２２を形成している。係合係止部２２には、所定の状態のもとで、後述される図１０に示されるように、プラグコネクタ１２が備える可動操作部材３２に形成された可動被係止部４７が係合する。即ち、保持金具部材１９に、プラグコネクタ１２が備える可動操作部材３２に形成された可動被係止部４７が係合する状態をとる係合係止部２２が設けられているのである。
【００３３】
そして、係合部材２０の一端部２０ａの先端部分は、後述される図１０に示されるように、プラグコネクタ１２が備える可動操作部材３２に形成された可動被係止部４７が係合係止部２２に係合したとき、可動被係止部４７が有する平面状部４７ａに当接する状態をとる当接係止部２３を形成している。また、係合部材２１の一端部２１ａの先端部分は、後述される図１０に示されるように、プラグコネクタ１２が備える可動操作部材３２に形成された可動被係止部４７が係合係止部２２に係合したとき、可動被係止部４７を係合部材２０に向けて押圧する状態をとる弾性押圧部２４を形成している。それに加えて、係合部材２１の一端部２１ａには、後述される図１０に示されるように、プラグコネクタ１２が備える可動操作部材３２に形成された可動被係止部４７が係合係止部２２に係合したとき、可動被係止部４７が有する平面状部４７ａに当接する状態をとる突起２５が設けられている。
【００３４】
さらに、一対の係合部材２０及び２１のうちの一方である係合部材２０の他端部２０ｂ、及び、一対の係合部材２０及び２１のうちの他方である係合部材２１の他端部２１ｂの夫々は、半田付け部とされている。そして、これらの係合部材２０の他端部２０ｂ及び係合部材２１の他端部２１ｂは、一対の係合部材２０及び２１が図２に示されるように相互対向するものとされたもとで、回路基板１３の上面に半田付けされて固定され、それにより保持金具部材１９がハウジング１５を保持して回路基板１３に固定する状態がとられる。
【００３５】
図１に示される第２のコネクタを成すプラグコネクタ１２は、合成樹脂等の絶縁材料によって形成されたハウジング３０と、ハウジング３０を部分的に覆う状態をもってハウジング３０に装着されるシェル部材３１と、ハウジング３０に対して回動可能に配され、ハウジング３０に対して起き上がった第１の静止位置とハウジング３０に対して伏した第２の静止位置とを選択的にとる可動操作部材３２と、を備えている。シェル部材３１は、例えば、金属板材に打ち抜き・屈曲加工が施されて形成されたものとされている。また、プラグコネクタ１２には、各々が同軸ケーブルとされた複数のケーブル１４が、ハウジング３０の長手方向に沿って配列配置されて連結されている。
【００３６】
ハウジング３０には、各々が弾性を有した導電性板材により形成された屈曲帯状部材を成す複数のプラグ側コンタクト３３が、ハウジング３０の長手方向に沿って配列配置されている。後述される図１５に示されるように、複数のプラグ側コンタクト３３の夫々には、ケーブル１４の中心導体１４ａが接続されるケーブル接続部３３ａと、ハウジング３０に設けられた嵌合凸部３４に配されて、リセプタクル側コンタクト１７における接触接続部１７ｂに当接する当接部３３ｂとが設けられている。ハウジング３０に設けられた嵌合凸部３４は、それに配された複数のプラグ側コンタクト３３における当接部３３ｂを伴って、リセプタクルコネクタ１１のハウジング１５に設けられた嵌合凹部１６に挿入されるものとされている。
【００３７】
また、ハウジング３０には、配列配置された複数のケーブル１４の夫々の外側導体１４ｂに接続された接地接続板部材３５が、ハウジング３０の長手方向に沿って伸びるものとして配されている。図１５に示されるように、接地接続板部材３５は複数のケーブル１４の夫々の外側導体１４ｂを挟む一対の導電性板材によって構成されている。
【００３８】
さらに、ハウジング３０における複数のプラグ側コンタクト３３の配列を挟んで対向する一対の端部の夫々には、ハウジング３０がリセプタクルコネクタ１１のハウジング１５との係合状態におかれるとき、ハウジング３０の長手方向における端部１８とそれに取り付けられた保持金具部材１９とを収容する収容空間部３６が、矩形状の透孔を成すものとして設けられている。そして、ハウジング３０の端部における収容空間部３６の周囲には、複数の係合スリット３７と溝部３８とが形成されている。
【００３９】
図１に示されるシェル部材３１は、ハウジング３０における複数のプラグ側コンタクト３３が配列配置された部分及び接地接続板部材３５を覆う本体部４０と、シェル部材３１の長手方向における両端部の夫々において本体部４０からシェル部材３１の長手方向に沿って伸びる係合腕状部４１とを有している。シェル部材３１の本体部４０には、ハウジング３０に配された接地接続板部材３５に当接接触する接触片部４０ａが内側に突出するものとして形成されている。また、シェル部材３１の長手方向における両端部の夫々に設けられた係合腕状部４１には、矩形状の開口部を成すものとされた透孔４１ａとハウジング３０に係合する複数の係合固定部４１ｂと切欠き凹部４１ｃとが形成されている。シェル部材３１がハウジング３０に装着されたもとにあっては、複数の係合固定部４１ｂがハウジング３０の端部に形成された複数の係合スリット３７に夫々挿入され、また、切欠き凹部４１ｃがハウジング３０の端部に形成された溝部３８に対応する位置におかれる。
【００４０】
可動操作部材３２は、全体が、例えば、弾性を有した棒状金属材料に屈曲加工が施されて形成された屈曲棒状体を成すものとされている。そして、可動操作部材３２を単独で示す図３にも示されるように、可動操作部材３２は、プラグコネクタ１２のハウジング３０に対して回動可能に配されたとき、複数のプラグ側コンタクト３３の配列方向に直線的に伸びることになる中間部４５と、中間部４５の両端部から夫々屈曲して伸びる一対の連結部４６と、一対の連結部４６の夫々からさらに屈曲して伸びる端部４７とを有している。
【００４１】
斯かるもとで、可動操作部材３２の端部４７は、プラグコネクタ１２のハウジング３０によって支持される可動被係止部を形成している（以下、端部４７を可動被係止部４７という。）。図３における一点鎖線円Ａ内を拡大図示する図４に明瞭に示されるように、可動操作部材３２における可動被係止部４７は、可動操作部材３２の回動に伴って対面方向を変化させる平面状部４７ａを有している。従って、可動操作部材３２の両端部には、各々が可動操作部材３２の回動に伴って対面方向を変化させる平面状部４７ａを有してプラグコネクタ１２のハウジング３０により支持されるものとされる、一対の可動被係止部４７が夫々形成されていることになる。
【００４２】
このように構成された可動操作部材３２がプラグコネクタ１２のハウジング３０に対して回動可能に配されるにあたっては、一対の連結部４６の夫々がハウジング３０の長手方向の端部の外側に配され、一対の連結部４６から夫々伸びる一対の可動被係止部４７の夫々が、ハウジング３０の長手方向における端部に形成された溝部３８内に、ハウジング３０の外側からハウジング３０の端部に設けられた収容空間部３６内に入り込むようにして配され、さらに、溝部３８内に配された可動被係止部４７が、ハウジング３０に装着されたシェル部材３１の長手方向における端部に設けられた係合腕状部４１に形成された切欠き凹部４１ｃによって抑えられて、回動可能に位置決めされる。それにより、プラグコネクタ１２のハウジング３０に対して回動可能に配された可動操作部材３２における可動被係止部４７は、ハウジング３０の端部に形成された溝部３８により支持されるとともにシェル部材３１に形成された切欠き凹部４１ｃにより抑えられたもとで、可動操作部材３２の回動に伴って、平面状部４７ａの対面方向を変化させつつ回動するものとされて、ハウジング３０の端部に設けられた収容空間部３６内に配される。即ち、ハウジング３０に形成された溝部３８とシェル部材３１に形成された切欠き凹部４１ｃとが、可動操作部材３２における可動被係止部４７に対する軸受けを構成しており、それにより収容空間部３６内における可動被係止部４７の回動が可能とされているのである。
【００４３】
上述のように、図１においては分解されて示されている、ハウジング３０とシェル部材３１と可動操作部材３２とを備えたプラグコネクタ１２は、図５及び図６に示されるように、可動操作部材３２がハウジング３０に配して回動可能に配されるとともにシェル部材３１がハウジング３０に装着された状態をもって使用に供される。そして、リセプタクルコネクタ１１のハウジング１５に設けられた嵌合凹部１６にプラグコネクタ１２のハウジング３０に設けられた嵌合凸部３４が挿入されて、ハウジング３０がハウジング１５との係合状態をとるものとされるにあたっては、先ず、図５及び図６に示されるように、複数のケーブル１４が連結されたプラグコネクタ１２が、例えば、図５及び図６においてリセプタクルコネクタ１１の上方となる位置をとるものとして、回路基板１３に装着されたリセプタクルコネクタ１１に対して対向配置せしめられる。
【００４４】
斯かる際には、プラグコネクタ１２のハウジング３０に設けられた嵌合凸部３４が、回路基板１３の上面に配されたリセプタクルコネクタ１１のハウジング１５に設けられた嵌合凹部１６に対応する位置におかれる。また、このとき、プラグコネクタ１２に備えられた可動操作部材３２は、ハウジング３０に対して起き上がった第１の静止位置をとるものとされる。さらに、このとき、図６における VII−VII 線断面を示す図７に示されるように、プラグコネクタ１２のハウジング３０の長手方向における端部に設けられて可動操作部材３２における可動被係止部４７が配された収容空間部３６が、リセプタクルコネクタ１１のハウジング１５の長手方向における端部１８とそれに取り付けられた係合部材２０及び２１から成る保持金具部材１９とに対応する位置におかれる。
【００４５】
次に、プラグコネクタ１２が回路基板１３に装着されたリセプタクルコネクタ１１に向けて移動せしめられ、図８及び図９に示されるように、プラグコネクタ１２のハウジング３０に設けられた嵌合凸部３４がリセプタクルコネクタ１１のハウジング１５に設けられた嵌合凹部１６に挿入されて、プラグコネクタ１２のハウジング３０がリセプタクルコネクタ１１のハウジング１５との係合状態をとるものとされる。それにより、回路基板１３に装着されたリセプタクルコネクタ１１と複数のケーブル１４が連結されたプラグコネクタ１２とが相互係合状態におかれる。
【００４６】
斯かるもとにあっては、図９における X−X 線断面を示す図１０及び図９におけるXI−XI線断面を示す図１１に示されるように、リセプタクルコネクタ１１のハウジング１５の長手方向における端部１８とそれに取り付けられた係合部材２０及び２１から成る保持金具部材１９が、プラグコネクタ１２のハウジング３０の長手方向における端部に設けられて可動操作部材３２における可動被係止部４７が配された収容空間部３６に収容される。そして、収容空間部３６内において、第１の静止位置をとるものとされた可動操作部材３２における可動被係止部４７が、係合部材２０及び２１から成る保持金具部材１９における係合部材２０の一端部２０ａ及び係合部材２１の一端部２１ａによって形成される係合係止部２２に係合する。その際、可動被係止部４７は、それが有する平面状部４７ａを係合部材２０の一端部２０ａに部分的に対面させる状態をもって、係合部材２０の一端部２０ａと係合部材２１の一端部２１ａとによって挟まれたものとされる。
【００４７】
続いて、プラグコネクタ１２のハウジング３０に設けられた嵌合凸部３４のリセプタクルコネクタ１１のハウジング１５に設けられた嵌合凹部１６に対する嵌合が完了していて、プラグコネクタ１２のハウジング３０に設けられた収容空間部３６内において、第１の静止位置をとるものとされた可動操作部材３２における可動被係止部４７が保持金具部材１９における係合部材２０の一端部２０ａ及び係合部材２１の一端部２１ａによって形成される係合係止部２２に係合したもとで、図１２及び図１３に示されるように、可動操作部材３２が第１の静止位置からハウジング３０に対して伏した第２の静止位置に回動移行せしめられると、収容空間部３６内において、斯かる可動操作部材３２の回動に伴って、可動操作部材３２における可動被係止部４７が有する平面状部４７ａが対面方向を変化させる。
【００４８】
斯かる際における平面状部４７ａの対面方向の変化によって、図１３におけるXIV-XIV 線断面を示す図１４に示されるように、平面状部４７ａが図１４における上方を向くものとされる。それにより、収容空間部３６内において、係合係止部２２を形成する係合部材２０の一端部２０ａの先端部分が形成する当接係止部２３が、第２の静止位置をとるものとされた可動操作部材３２における可動被係止部４７が有する平面状部４７ａに当接して、その平面状部４７ａを機械的に係止する。また、それとともに、収容空間部３６内において、係合係止部２２を形成する係合部材２１の一端部２１ａに設けられた突起２５も、第２の静止位置をとるものとされた可動操作部材３２における可動被係止部４７が有する平面状部４７ａに当接して、その平面状部４７ａを機械的に係止する。従って、第２の静止位置をとるものとされた可動操作部材３２における可動被係止部４７が有する平面状部４７ａは、収容空間部３６内において、係合部材２０の一端部２０ａ及び係合部材２１の一端部２１ａにより形成される係合係止部２２に設けられた当接係止部２３によって機械的に係止され、それに加えて、係合係止部２２に設けられた突起２５によっても機械的に係止されることになる。
【００４９】
このようにして、第２の静止位置をとるものとされた可動操作部材３２における可動被係止部４７が有する平面状部４７ａが、係合係止部２２に設けられた当接係止部２３と突起２５とによって機械的に係止されることにより、可動操作部材３２における可動被係止部４７が係合係止部２２によって係止された状態におかれる。それにより、リセプタクルコネクタ１１のハウジング１５のプラグコネクタ１２のハウジング３０からの離脱が防止されて、図１３におけるXV-XV 線断面を示す図１５に示されるように、プラグコネクタ１２のハウジング３０に設けられた嵌合凸部３４がリセプタクルコネクタ１１のハウジング１５に設けられた嵌合凹部１６に嵌合した状態が安定かつ堅固に維持される。即ち、プラグコネクタ１２のハウジング３０がリセプタクルコネクタ１１のハウジング１５に係合した状態が充分な信頼性をもって確実に維持されることになる。
【００５０】
プラグコネクタ１２のハウジング３０がリセプタクルコネクタ１１のハウジング１５との係合状態をとるもとにあっては、図１５に示されるように、ハウジング３０に設けられた嵌合凸部３４がハウジング１５に設けられた嵌合凹部１６に挿入されており、ハウジング３０に配されたプラグ側コンタクト３３における当接部３３ｂが、嵌合凹部１６内に臨むものとされたリセプタクル側コンタクト１７における接触接続部１７ｂに当接する。それにより、プラグコネクタ１２のハウジング３０に配列配置された複数のプラグ側コンタクト３３がリセプタクルコネクタ１１のハウジング１５に配列配置された複数のリセプタクル側コンタクト１７に夫々接触接続される。その結果、各々の中心導体１４ａが複数のプラグ側コンタクト３３の夫々におけるケーブル接続部３３ａに接続された複数のケーブル１４が、複数のプラグ側コンタクト３３及び複数のリセプタクル側コンタクト１７を介して、複数のリセプタクル側コンタクト１７の夫々における基板接続部１７ａが接続された配線端子部を有する回路基板１３に電気的に接続される。
【００５１】
上述においては、プラグコネクタ１２のハウジング３０に設けられた嵌合凸部３４のリセプタクルコネクタ１１のハウジング１５に設けられた嵌合凹部１６に対する嵌合が完了していて、プラグコネクタ１２のハウジング３０に設けられた収容空間部３６内において、第１の静止位置をとるものとされた可動操作部材３２における可動被係止部４７が保持金具部材１９における係合部材２０の一端部２０ａ及び係合部材２１の一端部２１ａによって形成される係合係止部２２に係合したもとで、可動操作部材３２が第１の静止位置からハウジング３０に対して伏した第２の静止位置に回動移行せしめられ、それにより、第２の静止位置をとるものとされた可動操作部材３２における可動被係止部４７が有する平面状部４７ａが、収容空間部３６内において、係合係止部２２に設けられた当接係止部２３及び突起２５によって機械的に係止される状態が得られている。それに対して、図１６に示されるように、第１の静止位置をとるものとされた可動操作部材３２における可動被係止部４７が保持金具部材１９における係合部材２０の一端部２０ａ及び係合部材２１の一端部２１ａによって形成される係合係止部２２に係合しているが、プラグコネクタ１２のハウジング３０に設けられた嵌合凸部３４のリセプタクルコネクタ１１のハウジング１５に設けられた嵌合凹部１６に対する嵌合が完了していない状況のもとで、可動操作部材３２が第１の静止位置からハウジング３０に対して伏した第２の静止位置に回動移行せしめられる場合にも、係合係止部２２に係合した可動被係止部４７が可動操作部材３２の回動に伴って回動することにより、ハウジング３０に設けられた嵌合凸部３４のハウジング１５に設けられた嵌合凹部１６に対する嵌合が完了せしめられ、第２の静止位置をとるものとされた可動操作部材３２における可動被係止部４７が有する平面状部４７ａが、収容空間部３６内において、係合係止部２２に設けられた当接係止部２３及び突起２５によって機械的に係止される状態が得られる。
【００５２】
このような保持金具部材１９における係合部材２０の一端部２０ａ及び係合部材２１の一端部２１ａによって形成される係合係止部２２との係合状態をとる可動操作部材３２における可動被係止部４７については、プラグコネクタ１２が備えるシェル部材３１における、プラグコネクタ１２のハウジング３０により支持された可動操作部材３２における可動被係止部４７に対応する部分となる、係合腕状部４１に形成された開口部を成す透孔４１ａを通じて、プラグコネクタ１２が備えるシェル部材３１の外部から視認することができる。
【００５３】
上述のようにして、プラグコネクタ１２のハウジング３０がリセプタクルコネクタ１１のハウジング１５との係合状態をとるもとで、可動操作部材３２が第２の静止位置から第１の静止位置に回動移行せしめられると、収容空間部３６内において、斯かる可動操作部材３２の回動に伴って、可動操作部材３２における可動被係止部４７が有する平面状部４７ａが、その対面方向を変化させ、図１０に示されるように、係合部材２０の一端部２０ａに部分的に対面するものとされる。それにより、係合係止部２２を形成する係合部材２０の一端部２０ａの先端部分が形成する当接係止部２３、及び、係合係止部２２を形成する係合部材２１の一端部２１ａに設けられた突起２５が、第１の静止位置をとるものとされた可動操作部材３２における可動被係止部４７が有する平面状部４７ａに当接しなくなり、当接係止部２３及び突起２５による可動被係止部４７が有する平面状部４７ａに対する機械的な係止が解除される。その結果、可動操作部材３２における可動被係止部４７を係合係止部２２との係合状態から解放しつつ、プラグコネクタ１２のハウジング３０をリセプタクルコネクタ１１のハウジング１５から離隔させて、リセプタクルコネクタ１１とプラグコネクタ１２との相互係合状態を解除することができる。
【００５４】
以上のようなリセプタクルコネクタ１１とプラグコネクタ１２とを含んで構成される本願発明に係る相互係合コネクタ装置の一例においては、プラグコネクタ１２のハウジング３０がリセプタクルコネクタ１１のハウジング１５との係合状態をとるとき、可動操作部材３２の両端部の夫々が成す可動被係止部４７が、リセプタクルコネクタ１１における保持金具部材１９に設けられた係合係止部２２に係合するとともに、可動操作部材３２のハウジング３０に対して起き上がった第１の静止位置からハウジング３０に対して伏した第２の静止位置への回動移行に伴って、係合係止部２２に設けられた当接係止部２３が可動被係止部４７が有する平面状部４７ａに当接する状態がとられて、可動被係止部４７が有する平面状部４７ａが係合係止部２２によって機械的に係止され、それにより、プラグコネクタ１２のハウジング３０がリセプタクルコネクタ１１のハウジング１５に対して機械的に係止された状態におかれる。
【００５５】
また、プラグコネクタ１２のハウジング３０がリセプタクルコネクタ１１のハウジング１５に対して係止されたもとで、可動操作部材３２が第２の静止位置から第１の静止位置に回動移行せしめられると、それに伴って、係合係止部２２に設けられた当接係止部２３が可動被係止部４７が有する平面状部４７ａに当接しない状態がとられて、可動被係止部４７が有する平面状部４７ａに対する係合係止部２２による機械的な係止が解除され、プラグコネクタ１２のハウジング３０がリセプタクルコネクタ１１のハウジング１５に対する機械的な係止から解放された状態におかれる。従って、本願発明に係る相互係合コネクタ装置の一例によれば、たとえ、プラグコネクタ１２のハウジング３０がリセプタクルコネクタ１１のハウジング１５に対して係止される状態と、プラグコネクタ１２のハウジング３０がリセプタクルコネクタ１１のハウジング１５に対する係止から解放される状態とが繰り返される場合においても、プラグコネクタ１２とリセプタクルコネクタ１１とが相互係合状態をとるときには、可動被係止部４７が有する平面状部４７ａに対する係合係止部２２による機械的な係止状態を適正かつ確実にとることができ、その結果、プラグコネクタ１２のハウジング３０のリセプタクルコネクタ１１のハウジング１５に対する係止を十分な信頼性をもって安定かつ堅固に行うことができる。
【００５６】
さらに、本願発明に係る相互係合コネクタ装置の一例においては、可動被係止部４７が有する平面状部４７ａに対する係合係止部２２による機械的な係止を解除するにあたっての操作は、プラグコネクタ１２のハウジング３０に回動可能に配されて第１の静止位置と第２の静止位置とを選択的にとることができる可動操作部材３２を、第２の静止位置から第１の静止位置へと回動変位させることで足りるので、プラグコネクタ１２のハウジング３０のリセプタクルコネクタ１１のハウジング１５に対する係止の解除を、特別な工具等の使用を必要としない極めて簡単で容易な操作により確実に行うことができる。
【産業上の利用可能性】
【００５７】
本願発明に係る相互係合コネクタ装置は、回路基板に装着される、例えば、リセプタクルコネクタとされる第１のコネクタとケーブルや配線基板が連結される、例えば、プラグコネクタとされる第２のコネクタとを含み、第１のコネクタと第２のコネクタとが相互係合せしめられることにより、第２のコネクタに連結されたケーブルや配線基板を第１のコネクタが装着された回路基板に電気的に接続された状態におくことができる機構を成すものであって、第１のコネクタと第２のコネクタとが相互係合状態をとるもとで、第２のコネクタに備えられた可動操作部材が回動変位せしめられることにより、第２のコネクタに設けられた一対の可動被係止部が第１のコネクタに設けられた係合係止部によって機械的に係止され、それにより、第２のコネクタのハウジングについての第１のコネクタのハウジングに対する係止を十分な信頼性をもって確実かつ安定に、さらには、堅固に行うことができるものとして、様々な電子機器等に広く適用され得るものである。
【符号の説明】
【００５８】
１1 ・・・リセプタクルコネクタ（第１のコネクタ），  １２・・・プラグコネクタ（第２のコネクタ），  １３・・・回路基板，  １４・・・ケーブル，  １４ａ・・・中心導体，  １４ｂ・・・外側導体，  １５・・・ハウジング（第１のハウジング），  １６・・・嵌合凹部，  １７・・・リセプタクル側コンタクト（第１のコンタクト），  １７ａ・・・基板接続部，  １７ｂ・・・接触接続部，  １９・・・保持金具部材，  ２０，２１・・・係合部材，  ２２・・・係合係止部，  ２３・・・当接係止部，  ２４・・・弾性押圧部，  ２５・・・突起，  ３０・・・ハウジング（第２のハウジング），  ３１・・・シェル部材，  ３２・・・可動操作部材，  ３３・・・プラグ側コンタクト（第２のコンタクト），  ３３ａ・・・ケーブル接続部，  ３３ｂ・・・当接部，  ３４・・・嵌合凸部，  ３５・・・接地接続板部材，  ３６・・・収容空間部，  ３７・・・係合スリット，  ３８・・・溝部，  ４０・・・（シェル部材３１の）本体部，  ４１・・・係合腕状部，  ４１ａ・・・透孔，  ４１ｂ・・・係合固定部，  ４１ｃ・・・切欠き凹部，  ４５・・・（可動操作部材３２の）中間部，  ４６・・・連結部，  ４７・・・可動被係止部，  ４７ａ・・・平面状部
【図１】
0006380741.tif 000002
【図２】
0006380741.tif 000003
【図３】
0006380741.tif 000004
【図４】
0006380741.tif 000005
【図５】
0006380741.tif 000006
【図６】
0006380741.tif 000007
【図７】
0006380741.tif 000008
【図８】
0006380741.tif 000009
【図９】
0006380741.tif 000010
【図１０】
0006380741.tif 000011
【図１１】
0006380741.tif 000012
【図１２】
0006380741.tif 000013
【図１３】
0006380741.tif 000014
【図１４】
0006380741.tif 000015
【図１５】
0006380741.tif 000016
【図１６】
0006380741.tif 000017